(57)【要約】      （修正有）【課題】天板角部保護具において、座卓の天板の裏面に一旦取り付ければ、取り外す必要がなく、座卓の使用時には、座卓の天板の裏面に隠され、座卓の不使用時には、座卓の天板の裏面から引き出されて座卓の天板の角部を覆って保護する。【解決手段】天板２の裏面６に固定部材を設け、この固定部材には一対の取付部５１によって支持軸３２を横架して設け、この支持軸３２に回動ロック部材１２の一端を回動可能に設け、この回動ロック部材１２の他端にはスライド部材１３を連結軸４４で連結し、スライド部材１３には天板２の角部３の保護材５５を設け、スライド部材１３が天板２の角部側に移動された際にスライド部材１３を天板２の裏面側に押圧するように回動ロック部材１２に付勢力を加えるとともに、スライド部材１３が天板２の中心側に移動された際にはスライド部材１３が動かないように回動ロック部材１２に付勢力を加える付勢部材を設ける。【選択図】図１
2010046403.tif 000002
【特許請求の範囲】
【請求項１】
座卓の天板の角部を保護する天板角部保護具において、前記天板の角部近傍の裏面に固定部材を設け、この固定部材には一対の取付部を下方に突出して設け、この一対の取付部に支持軸を横架して設け、この支持軸に回動ロック部材の一端を回動可能に設け、この回動ロック部材の他端には該回動ロック部材の回動により前記天板の角部側若しくは中心側に向かってスライド移動可能なスライド部材を連結軸で連結して設け、前記スライド部材には該スライド部材が前記天板の角部側に移動された際に前記天板の角部よりも外方に突出する保護材を設け、前記固定部材と前記回動ロック部材とには前記スライド部材が前記天板の角部側に移動された際に前記スライド部材を前記天板の裏面側に押圧するように前記回動ロック部材に付勢力を生じさせるとともに前記スライド部材が前記天板の中心側に移動された際には前記スライド部材が動かないように前記回動ロック部材に付勢力を生じさせる付勢部材を係止して設けたことを特徴とする天板角部保護具。
【請求項２】
座卓の天板の角部を保護する天板角部保護具において、前記天板の角部近傍の裏面に固定部材を設け、この固定部材には一対の取付部を下方に突出して設け、この一対の取付部に支持軸を横架して設け、前記天板の角部を覆う保護材が備えられたカバー部材を設け、このカバー部材には前記一対の取付部に対応した一対の連結部を設け、この一対の連結部には前記支持軸を挿通させて前記カバー部材を前記固定部材に対して動作可能とする一対の長孔を設け、前記カバー部材には下方に突出する係止部を設け、前記カバー部材を前記固定部材側に付勢して保持する付勢部材を前記支持軸と前記係止部とに係止して設けたことを特徴とする天板角部保護具。
【発明の詳細な説明】
【技術分野】
【０００１】
この発明は、天板角部保護具に係り、特に座卓の天板の角部を保護する天板角部保護具に関する。
【背景技術】
【０００２】
ホテル、旅館、料理店等の施設においては、部屋での食事時に、座卓を使用している。この座卓は、食事時での使用時に、部屋の所要場所に搬送されるが、片付け等での不使用時には、壁等に立てかけて保管される。
このような座卓にあっては、搬送時に天板の角部がぶつかったり、壁等の立てかけ時には、天板の角部が傷んだりする。特に、高価な座卓にあっては、その損失が大きくなるものである。
このため、座卓の天板の角部を保護する必要があり、例えば、金属製の金具を座卓の天板の角部に釘で打ち付けたりしている。
【０００３】
従来、コーナー部保護キャップには、本体部と一側表面板と他側表面板と一側裏面板と他側裏面板とからなり、横材と縦材とを連結した建具の角部に、外れることなく、簡単に取り付けるものがある。
【特許文献１】特開平９−１５０８５９号公報
【発明の開示】
【発明が解決しようとする課題】
【０００４】
ところが、従来、座卓の天板の角部の保護具においては、金属製の場合に、座卓の不使用時における取り扱い時に、天板の角部で畳や床等を損傷させてしまう不都合があり、また、樹脂製の場合には、座卓の使用時に、座卓の高級感を損ねてしまうという不都合があった。
また、座卓の天板の角部に取り外し可能な保護具を取り付けた場合には、その取り付けや取り外しが必要となり、取り扱いが面倒になるという不都合があった。
【０００５】
そこで、この発明の目的は、座卓の天板の裏面に一旦取り付ければ、取り外す必要がなく、取り扱いを簡便とし、また、座卓の使用時には、座卓の天板の裏面に隠され、座卓の高級感を損なわせず、一方、座卓の不使用時には、座卓の天板の裏面から引き出されて座卓の天板の角部を覆って保護できるとともに畳や床等の損傷を回避できる天板角部保護具を提供することにある。
【課題を解決するための手段】
【０００６】
この発明は、座卓の天板の角部を保護する天板角部保護具において、前記天板の角部近傍の裏面に固定部材を設け、この固定部材には一対の取付部を下方に突出して設け、この一対の取付部に支持軸を横架して設け、この支持軸に回動ロック部材の一端を回動可能に設け、この回動ロック部材の他端には該回動ロック部材の回動により前記天板の角部側若しくは中心側に向かってスライド移動可能なスライド部材を連結軸で連結して設け、前記スライド部材には該スライド部材が前記天板の角部側に移動された際に前記天板の角部よりも外方に突出する保護材を設け、前記固定部材と前記回動ロック部材とには前記スライド部材が前記天板の角部側に移動された際に前記スライド部材を前記天板の裏面側に押圧するように前記回動ロック部材に付勢力を生じさせるとともに前記スライド部材が前記天板の中心側に移動された際には前記スライド部材が動かないように前記回動ロック部材に付勢力を生じさせる付勢部材を係止して設けたことを特徴とする。
また、この発明は、座卓の天板の角部を保護する天板角部保護具において、前記天板の角部近傍の裏面に固定部材を設け、この固定部材には一対の取付部を下方に突出して設け、この一対の取付部に支持軸を横架して設け、前記天板の角部を覆う保護材が備えられたカバー部材を設け、このカバー部材には前記一対の取付部に対応した一対の連結部を設け、この一対の連結部には前記支持軸を挿通させて前記カバー部材を前記固定部材に対して動作可能とする一対の長孔を設け、前記カバー部材には下方に突出する係止部を設け、前記カバー部材を前記固定部材側に付勢して保持する付勢部材を前記支持軸と前記係止部とに係止して設けたことを特徴とする。
【発明の効果】
【０００７】
この発明は、座卓の使用時に、座卓の高級感を損なわせなく、座卓の不使用時には、座卓の天板の角部を覆って保護し、また、その取り扱いを簡便とすることができる。
【発明を実施するための最良の形態】
【０００８】
この発明の天板角部保護具は、取り扱いを簡便とし、また、座卓の使用時に、座卓の高級感を損なわせなく、座卓の不使用時には、座卓の天板の角部を保護したり、畳や床等の損傷を回避する目的を、座卓の天板の裏面に保護材を出没可能に設けて実現するものである。
以下、図面に基づいてこの発明の実施例を詳細且つ具体的に説明する。
【実施例１】
【０００９】
図１〜図１２は、この発明の第１実施例を示すものである。
図１〜図６において、１は座卓、２はこの座卓１の天板、３はこの天板２の角部、４は座卓１の脚である。
天板２は、複数（例えば４つ）の角部３を備えるとともに、表面５と裏面６とを備え、且つ所定の厚さＴに形成されている。
天板２の各角部３近傍の裏面６には、天板２の角部３の頂部面７とこの頂部面７に連続する一側縁面８及び他側縁面９とを保護する天板角部保護具１０が取り付けられる。
この天板角部保護具１０は、固定部材１１と回動ロック部材１２とスライド部材１３と付勢部材１４とを備える。
【００１０】
図７、図８に示すように、固定部材１１は、例えば、金属製又は樹脂製の板状体で形成され、天板２の角部３に沿った三角形状の角側固定部１５と、この角側固定部１５に連設して長手方向が天板２の角部３の頂部面７と天板２の中心との方向に指向した四角形状の中心側固定部１６とが一体的になって構成される。
この固定部材１１には、角側固定部１５の中央側角部１７と一側角部１８と他側角部１９とで中央側固定孔２０と一側固定孔２１と他側固定孔２２とが形成されるとともに、中心側固定部１６で中心側固定孔２３が形成される。これら固定孔２０・２１・２２・２３には、固定部材１０を天板２の裏面６に固定するための固定用ねじ（図示せず）が夫々挿通される。
また、固定部材１１の角側固定部１５の一側角部１８・他側角部１９には、一側切欠部２４・他側切欠部２５が形成されるとともに、この一側切欠部２４・他側切欠部２５で下方に所定高さで突出する一側ストッパ２６・他側ストッパ２７が形成される。また、固定部材１１の中心側固定部１６には、所定高さで下方に突出する一対の取付部として、固定一側取付部２８と固定他側取付部２９とが形成され、また、中央切欠部３０で下方に所定高さで突出する固定側スプリング係止部３１が形成されている。
固定一側取付部２８と固定他側取付部２９とには、天板２の角部３の頂部面７に対して直交するように配置された支持軸３２が、固定一側取付部２８の一側取付孔３３と固定他側取付部２９の他側取付孔３４とに挿通されて横架して設けられる。この一側取付孔３３と他側取付孔３４とは、固定部材１１の固定側スプリング係止部３１の垂直線Ｖ（図３、図６参照）上で且つ垂直下方で固定一側取付部２８と固定他側取付部２９とに形成される。
【００１１】
図９、図１０に示すように、回動ロック部材１２は、一端１２Ａが支持軸３２に回動可能に設けられ、平面視において、一側部３５と他側部３６と端部３７とでＵ字形状に形成されている。一側部３５と他側部３６とには、一端１２Ａ側で前記支持軸３２を挿通する一側支持孔３８と他側支持孔３９とが形成され、また、他端１２Ｂ側で一側連結孔４０と他側連結孔４１とが形成され、さらに、一側支持孔３８・他側支持孔３９と一側連結孔４０・他側連結孔４１との間で一側係止軸孔４２と他側係止軸孔４３とが形成されている。
一側連結孔４０と他側連結孔４１とには、連結軸４４が挿通される。一側係止軸孔４２と他側係止軸孔４３とには、可動側スプリング係止軸４５が挿通される。
一側取付孔３３と他側取付孔３４とに挿通された支持軸３２は、図３、図６に示すように、固定部材１１の固定側スプリング係止部３１の垂直線Ｖ上で垂直下方に配設される。回動ロック部材１２は、支持軸３２を中心に垂直線Ｖよりも天板２の角部３側（外側）若しくは中心側（内側）に回動される。これにより、図３に示すように、回動ロック部材１２が天板２の角部３側（外側）に回動されたときに、後述するスプリング５７はスライド部材１３が天板２の裏面６側に押圧されるように回動ロック部材１２に時計方向の付勢力を生じさせ、一方、図６に示すように、回動ロック部材１２が天板２の中心側（内側）に回動されたときに、スプリング５７はスライド部材１３が天板２の裏面６側に押圧されるように回動ロック部材１２に反時計方向の付勢力を生じさせる。
【００１２】
図１１、図１２に示すように、スライド部材１３は、回動ロック部材１２の他端１２Ｂの連結軸４４で回動可能に連結され且つ該回動ロック部材１２の回動により天板２の角部３の裏面６で天板２の角部３側（外側）若しくは中心側（内側）に向かってスライド移動可能に設けられる。
スライド部材１３は、例えば、金属製又は樹脂製で形成され、天板２の角部３に対応する箇所で切り欠いた指穴４６を形成して湾曲形状で一定幅の平坦部４７と、この平坦部４７の一端で天板２の角部３の一側縁面８の部位で且つ所定高さで上方に立ち上がる一側上方突出部４８と、この平坦部４７の他端で天板２の角部３の他側縁面９の部位で且つ所定高さで上方に立ち上がる他側上方突出部４９と、平坦部４７の天板２の角部３から離れた縁部位で四角形状に形成された内側切欠部５０と、この内側切欠部５０の両側で下方に所定高さで突出して形成された可動一側取付部５１・可動他側取付部５２とを備える。
この可動一側取付部５１と可動他側取付部５２とには、前記連結軸４４を挿通する可動一側取付孔５３と可動他側取付孔５４とが形成されている。
【００１３】
また、スライド部材１３には、図１１、図１２に示すように、該スライド部材１３が天板２の角部３側に移動された際に天板２の角部３よりも外方に突出する保護材５５が設けられる。
この保護材５５は、例えば、クッション性を有する緩衝材等であり、天板２の角部３の頂部面７・一側縁面８・他端縁面９を覆って天板２の角部３を保護するものであり、平面視で、天板２の角部３に倣って略Ｌ字形状に形成され、上下に重なった上側保護材５６−１と下側保護材５６−２とからなり、一側上方突出部４８と他側上方突出部４９との夫々端部で水平方向に取り付けられる。
【００１４】
図２、図３、図５、図６に示すように、付勢部材１４は、コイル状のスプリング５７からなる。このスプリング５７は、一端部５７Ａが固定部材１１の固定側スプリング係止部３１に係止されるとともに、他端部５７Ｂが回動ロック部材１２の可動側スプリング係止軸４５に係止されている。
このスプリング５７は、スライド部材１３が天板２の角部３側（外側）に移動された際にスライド部材１３を天板２の裏面６側に押圧するように回動ロック部材１２に付勢力を生じさせるとともに、スライド部材１３が天板２の角部３の中心側（内側）に移動された際にはスライド部材１３が動かないように回動ロック部材１２に付勢力を生じさせるものである。
【００１５】
次に、この第１実施例の作用を説明する。
座卓１の不使用時で、座卓１の搬送や保管等をする場合には、図４〜図６に示すように、天板角部保護具１０のスライド部材１３が天板２の中心側の裏面６に収容されている状態から、スライド部材１３の指穴４６に手の指を入れてこのスライド部材１３を天板２の角部３側にスライド移動させると、回動ロック部材１２がスプリング５７の反時計方向への付勢力に抗して支持軸３２を中心にして天板２の角部３側に回動して、連結軸４４が垂直線Ｖよりも天板２の角部３側に位置し、そして、このスライド部材１３の一側上方突出部４８と他側上方突出部４９とが天板２の角部３よりも外方に位置すると、図１〜図３に示すように、スプリング５７の時計方向への付勢力によって平坦部４７が天板２の角部３の裏面６に接近するように移動し、さらに、回動ロック部材１２の他端が平坦部４７の内側切欠部５０の内面５０Ａに接すると、保護材５５が天板２の角部３の中間高さに位置するとともに、平坦部４７の内側端面が一側ストッパ２６・他側ストッパ２７に接する。このとき、スプリング５７は、スライド部材１３を天板２の裏面６側に押圧するように回動ロック部材１２に時計方向への付勢力を生じさせ、スライド部材１３が天板２の裏面６から動くのを防止している。
これにより、座卓１の不使用時で、座卓１の搬送や保管等をする場合に、天板２の角部３が保護材５５で覆われていることから、天板２の角部３で畳や床等を損傷することがなく、また、天板２の角部３が何かとぶつかっても、天板２の角部３が損傷することがなく、よって、天板２を保護することができる。
【００１６】
一方、座卓１の使用時には、図１〜図３に示すように、天板角部保護具１０の保護材５５が天板２の角部３を覆っている状態から、この保護材５５を手で掴んで下方に移動し、そして、この保護材５５が天板２の角部３の裏面６よりも下方に位置した後、スライド部材１３を天板２の中心側にスライド移動すると、回動ロック部材１２がスプリング５７の時計方向の付勢力に抗して支持軸３２を中心にして天板２の中心側に回動して、連結軸４４が垂直線Ｖよりも天板２の中心側に位置し、そして、図４〜図６に示すように、回動ロック部材１２がスプリング５７の反時計方向への付勢力で天板２の裏面６側に付勢され、スライド部材１３が動かなくなる。
これにより、座卓１の使用時には、天板角部保護具１０を天板２の角部３の裏面６に隠すことができ、座卓１の高級感を損なわせることがない。
【００１７】
また、天板角部保護具１０を、座卓１の天板２の裏面６に一旦取り付ければ、取り外す必要がなくなり、その取り扱いを簡便とし、しかも、熟練がない人にでも容易にさせることができる。
更に、天板２の角部３を保護するために保護材５５のみを備えれば良く、別なクッション材等を不要とし、よって、保護材５５を大きな形状とすることができ、保護効果を向上するとともに、保護材５５を大きな形状とした場合でも、天板２の裏面６に保護材５５をコンパクトに収容可能とする。
【実施例２】
【００１８】
図１３〜図２１は、この発明の第２実施例を示すものである。
図１３〜図１６において、１０１は座卓、１０２はこの座卓１０１の天板である。
この天板１０２は、複数（例えば４つ）の角部１０３を備えるとともに、表面１０４と裏面１０５とを備え、且つ所定の厚さＴに形成されている。
この天板１０２の各角部１０３近傍の裏面１０５には、天板１０２の角部１０３の頂部面１０６とこの頂部面１０６に連続する一側縁面１０７及び他側縁面１０８とを保護する天板角部保護具１０９が取り付けられる。
この天板角部保護具１０９は、図１７に示すように、固定部材１１０とカバー部材１１１と付勢部材１１２とを備える。
【００１９】
図１３〜図１６、図１８に示すように、固定部材１１０は、例えば、金属製又は樹脂製で形成され、長方形状の薄い板状体からなり、天板１０２の裏面１０５において、長手方向の略中央部位が天板１０２の角部１０３の頂部面１０６に対向して配設される。
この固定部材１１０には、図１８に示すように、長手方向の一側で一側固定孔１１３・１１３が形成されるとともに、長手方向の他側で他側固定孔１１４・１１４が形成される。これら一側固定孔１１３・１１３及び他側固定孔１１４・１１４には、固定部材１１０を天板１０２の裏面１０５に固定するための固定用ねじ（図示せず）が夫々挿通される。
【００２０】
図１８、図１９に示すように、固定部材１１０には、頂部側端１１０Ａにおいて、天板１０２の角部１０３の頂部面１０６に対向した位置で略四角形状の固定側切欠内面１１５によって固定側切欠部１１６が形成され、また、一対の取付部として、固定側切欠部１１６の長手方向の一側で且つ下方に所定高さで突出する一側取付部１１７が設けられるとともに、固定側切欠部１１６の長手方向の他側で且つ下方に所定高さで突出する他側取付部１１８が設けられている。この一対の一側取付部１１７と他側取付部１１８とは、対峙するように固定部材１１０の固定側切欠部１１６の両側に配設される。
一側取付部１１７と他側取付部１１８とは、固定部材１１０の長手方向に指向し且つ天板１０２の角部１０３の頂部面１０６に対向した支持軸としての支持軸１１９が、一側取付部１１７の一側挿通孔１１７Ａと他側取付部１１８の他側挿通孔１１８Ａとに挿通されて横架して設けられる。
【００２１】
図２０、図２１に示すように、カバー部材１１１は、例えば、金属製又は樹脂製で形成され、固定部材１１０に対して動作可能であり、且つ天板１０２の角部１０３の頂部面１０６と一側縁面１０７と他側縁面１０８とに当接して着脱可能なものである。
即ち、カバー部材１１１は、天板１０２の角部１０３の頂部面１０６と一側縁面１０７と他側縁面１０８と固定部材１１０の頂部側端１１０Ａとの面域で形成された略三角形状の角部側板材１２０と、この角部側板材１２０に連設して固定部材１１０の固定側切欠内面１１５に沿って固定側切欠部１１６内に位置する略四角形状の固定側板材１２１とを備えている。
カバー部材１１１の角部側板材１２０には、天板１０２の角部１０３の頂部面１０６・一側縁面１０７・他端縁面１０８に対応し且つ該頂部面１０６・一側縁面１０７・他端縁面１０８に当接して覆うように保護材１２２が上方に所定高さに延びて備えられている。この保護材１２２は、例えば、クッション性を有する緩衝材等からなり、天板１０２の角部１０３の頂部面１０６・一側縁面１０７・他端縁面１０８を覆って角部１０３を保護するものあり、図２０に示すように、上面で天板１０２の角部１０３の周縁が当接するように、平面視がＣ字形状の角部当接面Ｇを形成する所定高さの頂部面カバー部１２３・一側縁面カバー部１２４・他端縁面カバー部１２５からなり、且つ、外観上見栄えか良いものである。
【００２２】
また、カバー部材１１１の固定側板材１２１には、固定部材１１０の一側取付部１１７と他側取付部１１８との間で、且つ該一側取付部１１７と他側取付部１１８に対応した一対の連結部として、一側連結部１２６と他側連結部１２７とが下方に突出して設けられる。この一側連結部１２６と他側連結部１２７の高さは、一側取付部１１７と他側取付部１１８の高さと略同じである。
この一側連結部１２６と他側連結部１２７には、固定部材１１０の支持軸１１９を挿通する一対の長孔として、一側長孔１２８と他側長孔１２９とが形成される。この一側長孔１２８と他側長孔１２９とは、図２１に示すように、固定部材１１０の幅方向に指向して、つまり、天板１０２の頂部面１０６側に延びる所定の長さＬで形成され、カバー部材１１１の天板１０２の角部１０３側への水平方向への移動及び下方への回動を可能とする。つまり、一側長孔１２８と他側長孔１２９とは、カバー部材１１１を固定部材１１０に対して動作可能とする。
これにより、カバー部材１１１は、一側長孔１２８と他側長孔１２９の長さＬの範囲で、天板１０２の角部１０３の頂部面１０６・一側縁面１０７・他側縁面１０８側に水平方向移動可能になるとともに、固定部材１１０の支持軸１１９を中心にして下方に回動可能となる。
つまり、一側長孔１２８と他側長孔１２９とは、カバー部材１１１が下方に回動したときに、このカバー部材１１１の下方への回動を妨げないような長さＬで且つ一側連結部１２６と他側連結部１２７との所定箇所に形成される。また、カバー部材１１１は、支持軸１１９が一側長孔１２８・他側長孔１２９のＸ位置（図２１参照）にあるときに回動可能となり、一方、支持軸１１９が一側長孔１２８・他側長孔１２９のＹ位置（図２１参照）にあるときには一側連結部１２６・他側連結部１２７の端部が天板２につかえて回転不可能となる。
【００２３】
また、カバー部材１１１の角部側板材１２０の略中央部位には、カバー側切欠内面１３０によってカバー側切欠部１３１が形成され、このカバー側切欠部１３１の略中央部位、つまり、角部１０３の頂部面１０６に対向した位置で係止部１３２が下方に突出して形成される。この係止部１３２には、スプリング係止孔１３３が形成されている。
【００２４】
図１７に示すように、付勢部材１１２は、コイル状のスプリング１３４からなる。このスプリング１３４は、一端部１３４Ａが固定部材１１０の支持軸１１９に係止されるとともに、他端部１３４Ｂがカバー部材１１１の係止部１３２のスプリング係止孔１３３に挿通して係止され、支持軸１１９が常に図２１に示す一側長孔１２８・他側長孔１２９のＹ位置にくるように付勢している。
スプリング１３４は、図１３、図１４に示すように、カバー部材１１１の保護材１２２が角部１０３を覆っているときに、カバー部材１１１が動かないようにカバー部材１１１を固定部材１１０側に付勢して保持する一方、、図１５、図１６に示すように、カバー部材１１１の角部１０３から外して下方に回動し且つ天板１０２の裏面１０５に近づけているときに、カバー部材１１１が動かないようにカバー部材１１１を固定部材１１０側に付勢して保持している。
【００２５】
次に、この第２実施例の作用を説明する。
座卓１０１の不使用時で、座卓１０１の搬送や保管等をする場合には、図１５、図１６に示すように、天板角部保護具１０９のカバー部材１１１が隠れている状態から、カバー部材１１１を手で掴んでスプリング１３４の付勢力に抗して天板１０２の角部１０３から離れるように水平移動し、支持軸１１９を一側長孔１２８・他側長孔１２９のＸ位置（図２１参照）に押し込み、その後、カバー部材１１１を下方に回動して天板１０２の角部１０３側に位置させると（図１５の矢印Ａで示す）、図１３、図１４に示すように、カバー部材１１１の保護材１２２の頂部面カバー部１２３・一側縁面カバー部１２４・他端縁面カバー部１２５が角部１０３の周縁を覆うように取り付けられる。このとき、支持軸１１９が一側長孔１２８・他側長孔１２９のＹ位置（図２１参照）にあり、一側連結部１２６・他側連結部１２７の端部が天板２につかえてカバー部材１１１が回転不可能となり、また、スプリング１３４の付勢力により、カバー部材１１１が天板１０２の角部１０３から外れるのを防止している。
これにより、座卓１０１の不使用時で、座卓１０１の搬送や保管等をする場合に、天板１０２の角部１０３が保護材１２２で覆われていることから、天板１０２の角部１０３で畳や床等を損傷することがなく、また、角部１０３が何かとぶつかっても、この角部１０３が損傷することがなく、よって、天板１０２を保護することができる。
【００２６】
一方、座卓１０１の使用時には、図１３、図１４に示すように、保護材１２２が天板１０２の角部１０３を覆っている状態から、カバー部材１１１を手で掴んでスプリング１３４の付勢力に抗して天板１０２の角部１０３から離れるように水平移動し、支持軸１１９を一側長孔１２８・他側長孔１２９のＸ位置（図２１参照）に押し込み、その後、このカバー部材１１１を下方に回動して固定部材１１０側で天板１０２の裏面１０５に近づけて位置させると（図１３の矢印Ｂで示す）、図１５、図１６に示すように、スプリング１３４の付勢力によって、カバー部材１１１を固定部材１１０に近づけて保持することから、カバー部材１１１が固定部材１１０から動くのを防止する。
これにより、座卓１０１の使用時には、天板角部保護具１０９を天板１０２の裏面１０５に隠すことができ、座卓１０１の高級感を損なわせることがない。
【００２７】
また、天板角部保護具１０９を、座卓１０１の天板１０２の裏面１０５に一旦取り付ければ、取り外す必要がなくなり、その取り扱いを簡便とし、しかも、カバー部材１１１の天板１０２の角部１０３への着脱を熟練がない人にでも容易にさせることができる。
【００２８】
なお、この発明は、上述の実施例に限定されず、種々応用改変が可能であることは勿論である。
例えば、図２２に示すように、カバー部材１１１において、保護材１２２の頂部面カバー部１２３・一側縁面カバー部１２４・他端縁面カバー部１２５で形成された角部当接面Ｇには、複数の凹部１３５を形成することで、凹凸面を形成することが可能である。これにより、角部当接面Ｇに天板１０２の角部１０３の周縁が当接したときに、保護材１２２の角部１０３への接触面積が少なくなり、保護材１２２のクッション性を高くして、角部１０３の保護を効率良く行うことができる。
【００２９】
また、図２３に示すように、カバー部材１１１に、天板１０２の角部１０３の表面１０４まで達しての該角部１０３の頂部面１０６・一側縁面１０７・他側縁面１０８全体及び表面１０４をも保護する高さＨの保護材１３６を設けることも可能である。これにより、この保護材１３６は、天板１０２の角部１０３の頂部面１０６・一側縁面１０７・他側縁面１０８全体及び表面１０４を確実に保護し、天板１０２の角部１０３の保護を効率良く図ることができる。
【産業上の利用可能性】
【００３０】
この発明に係る天板角部保護具を、座卓のみならず、テーブル等の他の天板にも適用することが可能である。
【図面の簡単な説明】
【００３１】
【図１】第１実施例において天板角部保護具が天板の角部を保護している状態の座卓の側面図である。
【図２】第１実施例において図１の座卓の底面図である。
【図３】第１実施例において図２のＩＩＩ−ＩＩＩ線による断面図である。
【図４】第１実施例において天板角部保護具が天板の裏面に収容されている状態の座卓の側面図である。
【図５】第１実施例において図４の座卓の底面図である。
【図６】第１実施例において図５のＶＩ−ＶＩ線による断面図である。
【図７】第１実施例において固定部材の側面図である。
【図８】第１実施例において固定部材の底面図である。
【図９】第１実施例において回動ロック部材の側面図である。
【図１０】第１実施例において図９の回動ロック部材の底面図である。
【図１１】第１実施例において保護材を備えたスライド部材の側面図である。
【図１２】第１実施例において図１１の保護材を備えたスライド部材の底面図である。
【図１３】第２実施例において天板角部保護具が天板の角部を保護している状態の座卓の側面図である。
【図１４】第２実施例において図１３の座卓の底面図である。
【図１５】第２実施例において天板角部保護具が天板の裏面に収容されている状態の座卓の側面図である。
【図１６】第２実施例において図１５の座卓の底面図である。
【図１７】第２実施例において天板角部保護具の底面図である。
【図１８】第２実施例において固定部材の平面図である。
【図１９】第２実施例において図１８の矢印ＸＩＸによる固定部材の側面図である。
【図２０】第２実施例においてカバー部材の平面図である。
【図２１】第２実施例において図２０の矢印ＸＸＩによるカバー部材の側面図である。
【図２２】この発明の第１の変形例においてカバー部材の平面図である。
【図２３】この発明の第２の変形例においてカバー部材の側面図である。
【符号の説明】
【００３２】
１  座卓
２  天板
３  角部
５  表面
６  裏面
７  頂部面
８  一側縁面
９  他側縁面
１０  天板角部保護具
１１  固定部材
１２  回動ロック部材
１３  スライド部材
１４  付勢部材
２８  固定一側取付部
２９  固定他側取付部
３２  支持軸
４４  連結軸
５１  可動一側取付部
５２  可動他側取付部
５５  保護材
５７  スプリング
【図１】
2010046403.tif 000003
【図２】
2010046403.tif 000004
【図３】
2010046403.tif 000005
【図４】
2010046403.tif 000006
【図５】
2010046403.tif 000007
【図６】
2010046403.tif 000008
【図７】
2010046403.tif 000009
【図８】
2010046403.tif 000010
【図９】
2010046403.tif 000011
【図１０】
2010046403.tif 000012
【図１１】
2010046403.tif 000013
【図１２】
2010046403.tif 000014
【図１３】
2010046403.tif 000015
【図１４】
2010046403.tif 000016
【図１５】
2010046403.tif 000017
【図１６】
2010046403.tif 000018
【図１７】
2010046403.tif 000019
【図１８】
2010046403.tif 000020
【図１９】
2010046403.tif 000021
【図２０】
2010046403.tif 000022
【図２１】
2010046403.tif 000023
【図２２】
2010046403.tif 000024
【図２３】
2010046403.tif 000025